(57)【要約】【課題】未使用時の不用意な破損を軽減し、さらに、常にＧＰＳアンテナが天空方向に設置することができるＳＤＩＯ−ＧＰＳ受信機の提供。【解決手段】情報機器端末の通信をおこなうためのＳＤＩＯカード部２と、通信衛星からの電波を受信するＧＰＳアンテナ４と受信した電波より現在地を演算する測位演算機能とを有するＧＰＳ受信部５と、を備えたＳＤＩＯ−ＧＰＳ受信機１において、ＳＤＩＯカード部２と、ＧＰＳ受信部３と、が脱着可能であるものである。【選択図】  図１
2004354287.tif 000002
【特許請求の範囲】
【請求項１】
情報機器端末の通信をおこなうためのＳＤＩＯカード部と、通信衛星からの電波を受信するＧＰＳアンテナと受信した電波より現在地を演算する測位演算機能とを有するＧＰＳ受信部と、を備えたＳＤＩＯ−ＧＰＳ受信機において、ＳＤＩＯカード部と、ＧＰＳ受信部と、が脱着可能であるものであることを特徴とするＳＤＩＯ−ＧＰＳ受信機。
【請求項２】
ＳＤＩＯカード部と、ＧＰＳ受信部と、が有線接続できるものであることを特徴とする請求項１記載のＳＤＩＯ−ＧＰＳ受信機。
【請求項３】
ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略中央部分に接合部を有するものであることを特徴とする請求項１記載のＳＤＩＯ−ＧＰＳ受信機。
【請求項４】
ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略全体にＳＤカード基板の表側の接点と接続する接合部を有するものであることを特徴とする請求項１記載のＳＤＩＯ−ＧＰＳ受信機。
【請求項５】
ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略全体にＳＤカード基板の表側の接点と接続する接合部を有し、残りの面の内のいずれか一面の略全体にＳＤカード基板の裏側の接点と接続する接合部を有するものであることを特徴とする請求項１記載のＳＤＩＯ−ＧＰＳ受信機。
【請求項６】
情報機器端末の通信をおこなうためのＳＤＩＯカード部と、通信衛星からの電波を受信するＧＰＳアンテナと受信した電波より現在地を演算する測位演算機能とを有するＧＰＳ受信部と、を備えたＳＤＩＯ−ＧＰＳ受信機において、接続軸部を有し、接続軸部はＳＤＩＯカード部に対しＧＰＳ受信機部が取り外すことなくＧＰＳ受信機部が接続軸部を中心に回転することができるものであることを特徴とするＳＤＩＯ−ＧＰＳ受信機。
【請求項７】
ＳＤＩＯカード部は、ＧＰＳ受信機部と接続するための接合部を有し、ＧＰＳ受信機部は、ＳＤＩＯカード部と接続するための接合部を有し、ＳＤＩＯカード部とＧＰＳ受信機部とが接続状態において、これらの接合部のどちらか一方、又は、両方に所定の大きさより応力を受けると接合部が接続を解除するものであることを特徴とする請求項６記載のＳＤＩＯ−ＧＰＳ受信機。
【請求項８】
接続軸部は、ＳＤＩＯカード部の接続部がある端面とＧＰＳ受信機部の接合部がある端面とが対面するようにＧＰＳ受信機部が接続軸部を中心に回転することができるものであることを特徴とする請求項７記載のＳＤＩＯ−ＧＰＳ受信機。
【請求項９】
ＧＰＳ受信機部は前記接合部に対向する面に金属面接合部を設け、接続軸部は、ＳＤＩＯカード部の金属面接続部がある端面がＧＰＳ受信機部の金属面接合部がある端面と裏金属球接合部がある端面と交互に対面するようにＧＰＳ受信機部が接続軸部を中心に回転することができるものであることを特徴とする請求項６記載のＳＤＩＯ−ＧＰＳ受信機。
【発明の詳細な説明】
【０００１】
【発明の属する技術分野】
本発明は、住宅内ＳＤＩＯ−ＧＰＳ受信機の脱着、回転等の構造に関するものである。
【０００２】
【従来の技術】
従来のＳＤＩＯ−ＧＰＳ（ＳＥＣＵＲＥ  ＤＩＧＩＴＡＬ  ＩＮＰＵＴ／ＯＵＴＰＵＴ―ＧＬＯＢＡＬ  ＰＯＳＩＴＩＯＮＩＮＧ  ＳＹＳＴＥＭの略）受信機１０１を図８に示す。このものは、ＳＤＩＯカード部１１０と、ＧＰＳ受信機部１２０を備えている。このものは、ＳＤＩＯ−ＧＰＳ受信機１１０は小型化を狙い、図９に示すように、情報機器端末３との通信を制御するＳＤＩＯカード部１１０とＧＰＳ受信機部１２０は一体型である。
【０００３】
ＳＤＩＯ−ＧＰＳ受信機は、ＳＤＩＯスロット装備の情報機器端末４等にＧＰＳ受信機部１２０で受信した衛星情報を基に位置情報を演算するものである。
【０００４】
また、ＳＤＩＯ−ＧＰＳ受信機ではないが、ＧＰＳ用いた測位カードがある。例えば、特開平８−１８６５１６号公報に記載されているものがある。図１１は、この受信機２０１のアンテナ収納部２４２を伸展させた状態を示す図であり、（ａ）は上面図、（ｂ）はＢ―Ｂ間の断面図である。このものは、ＰＤＡ２２２等に挿入装着して使用されるＧＰＳカード２２０に、回路収納部２４２に対して回転軸２４６中心に旋回させることができるようアンテナ収納部２４４を取り付け、このアンテナ収納部２４４内にＧＰＳアンテナ２３２を配置するものである。従って、ＰＤＡ２２２のカードスロットからＧＰＳアンテナ２３２までの距離を伸ばすことができるため、ＰＤＡ２２２内部のＣＰＵ等による輻射によってＧＰＳアンテナ３２による通信衛星から信号の受信が妨げられる可能性が低くなるものである。また、ＧＰＳアンテナ２３２をカードスロット奥行き方向に対して傾斜させて、低利得受信方向をカードスロット奥行き方向に向けることによりＰＤＡ２２２内部のＣＰＵ等による輻射によってＧＰＳアンテナ２３２による通信衛星から信号の受信が妨げられる可能性が低くなるものである。
【０００５】
【特許文献１】
特開２０００−２９２５２２号公報
【０００６】
【発明が解決しようとする課題】
図８、図９で説明した従来技術のＳＤＩＯ−ＧＰＳ受信機は、情報機器端末との通信を制御するＳＤＩＯカード部とＧＰＳ受信機部は一体型である。従って、ＳＤＩＯカード部とＧＰＳ受信機部は、脱着、回転もできないようになっている。
【０００７】
次に、情報機器端末にＳＤＩＯ−ＧＰＳ受信機を挿入した場合は、ＳＤＩＯカード部の形状は規定されており、非常に薄くなっている。ＳＤＩＯカード部とＧＰＳ受信機部を一体型にしたＳＤＩＯカード型ＧＰＳ受信機の場合、小型のＳＤＩＯカード部にＧＰＳ受信機部が接合するためＳＤＩＯカード部の接合点に構造上に弱い点がある。情報機器端末にＳＤＩＯ−ＧＰＳ受信機を挿入して使用している状態では問題ないが、未使用時にＧＰＳ受信機を挿入状態まま持ち歩いた場合、なんらかの理由により、受信機部に応力がかかった場合接合点が破壊される場合がある。
【０００８】
また、前記ＳＤＩＯ−ＧＰＳ受信機は、ＧＰＳアンテナが衛星の方向、つまり天空方向になければ、通信衛星から信号を捕捉することが困難であり測位できない。現在、情報機器端末のＳＤＩＯスロットの方向（ＳＤＩＯカードを挿入する方向）は２通りあり、従来の一体型ＧＰＳ受信機の場合、通常使用状態即ち情報機器端末のモニターを見る状態では、ＧＰＳアンテナが天空方向でなく地表方向に向くこともあり、その結果、衛星情報が受信（測位）できない場合がある。
【０００９】
また、特開２０００−２９２５２２号公報に記載で説明した測位カードでもでも、図８、図９で説明した従来技術と同様に、アンテナ収納部をＰＤＡに挿入して使用するため、接合部分があり、ＧＰＳ受信機が未使用時にＧＰＳ受信機を挿入状態で持ち歩いた場合、なんらかの理由により、ＧＰＳ受信機に応力がかかった場合、接合部分が破壊される場合がある。
【００１０】
また、受信機のアンテナ収容部は、回転軸中心に旋回できるものであるが、この装置は、ＣＭＣＩＡ規格準拠のカードスロットに挿入装着して使用する即位装置、すなわち、測位カードに関するものであり、ＳＤＩＯ−ＧＰＳ受信機とは、別のものである。
【００１１】
本発明は、かかる事由に鑑みてなしたものであり、その目的とするところは、未使用時の不用意な破損を軽減し、さらに、常にＧＰＳアンテナが天空方向に設置することができるＳＤＩＯ−ＧＰＳ受信機を提供することを目的とする。
【００１２】
【課題を解決するための手段】
上記問題点を解決するため、請求項１記載の発明にあっては、情報機器端末の通信をおこなうためのＳＤＩＯカード部と、通信衛星からの電波を受信するＧＰＳアンテナと受信した電波より現在地を演算する測位演算機能とを有するＧＰＳ受信部と、を備えたＳＤＩＯ−ＧＰＳ受信機において、ＳＤＩＯカード部と、ＧＰＳ受信部と、が脱着可能であるものである。
ものである。
【００１３】
請求項２記載の発明にあっては、請求項１の構成において、ＳＤＩＯカード部は、ＳＤＩＯカード部と、ＧＰＳ受信部と、が有線接続できるものである。
【００１４】
請求項３記載の発明にあっては、請求項１の構成において、ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略中央部分に接合部を有するものである。
【００１５】
請求項４記載の発明にあっては、請求項１の構成において、ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略全体にＳＤカード基板の表側の接点と接続する接合部を有するものである。
【００１６】
請求項５記載の発明にあっては、請求項１の構成において、ＳＤＩＯカード部は、ＧＰＳ受信機部の接合部との接続に必要な接点を表裏２通りあるＳＤカード基板を有し、ＧＰＳ受信機部の接合部は、ＧＰＳ受信機部の表面の内のいずれか一面の略全体にＳＤカード基板の表側の接点と接続する接合部を有し、残りの面の内のいずれか一面の略全体にＳＤカード基板の裏側の接点と接続する接合部を有するものである。
【００１７】
請求項６記載の発明にあっては、情報機器端末の通信をおこなうためのＳＤＩＯカード部と、通信衛星からの電波を受信するＧＰＳアンテナと受信した電波より現在地を演算する測位演算機能とを有するＧＰＳ受信部と、を備えたＳＤＩＯ−ＧＰＳ受信機において、接続軸部を有し、接続軸部はＳＤＩＯカード部に対しＧＰＳ受信機部が取り外すことなくＧＰＳ受信機部が接続軸部を中心に回転することができるものである。
【００１８】
請求項７記載の発明にあっては、ＳＤＩＯカード部は、ＧＰＳ受信機部と接続するための接合部を有し、ＧＰＳ受信機部は、ＳＤＩＯカード部と接続するための接合部を有し、ＳＤＩＯカード部とＧＰＳ受信機部とが接続状態において、これらの接合部のどちらか一方、又は、両方に所定の大きさより応力を受けると接合部が接続を解除するものである。
【００１９】
請求項８記載の発明にあっては、請求項７の構成において、接続軸部は、ＳＤＩＯカード部の接続部がある端面とＧＰＳ受信機部の接合部がある端面とが対面するようにＧＰＳ受信機部が接続軸部を中心に回転することができるものである。
【００２０】
請求項９記載の発明にあっては、請求項６の構成において、ＧＰＳ受信機部は前記接合部に対向する面に第２の接合部を設け、接続軸部は、ＳＤＩＯカード部の接続部がある端面がＧＰＳ受信機部の接合部がある端面と第２の接合部がある端面と交互に対面するようにＧＰＳ受信機部が接続軸部を中心に回転することができるものである。
【００２１】
【発明の実施の形態】
（第１の実施形態）
第１の実施形態のＳＤＩＯ−ＧＰＳ（ＳＥＣＵＲＥ  ＤＩＧＩＴＡＬ  ＩＮＰＵＴ／ＯＵＴＰＵＴ―ＧＬＯＢＡＬ  ＰＯＳＩＴＩＯＮＩＮＧ  ＳＹＳＴＥＭの略）受信機１を図１に基づいて説明する。このものは、ＳＤＩＯカード部２と、ＧＰＳアンテナ５を有するＧＰＳ受信機部３と、を備えている。このものは、図１に示すように、ＳＤＩＯカード部２とＧＰＳ受信機部３とが脱着できるとともに、電気的に接続されるようになっている。
【００２２】
ＳＤＩＯ−ＧＰＳ受信機１は、従来の技術で説明したように、ＳＤＩＯスロット装備の情報機器端末等（図示せず）にＧＰＳ受信機部３で受信した衛星情報を基に位置情報を演算するものである。ＳＤＩＯカード部２は、情報機器端末の通信をＳＤＩＯで実現するためのものである。また、ＧＰＳ受信機部３は、受信したアナログ信号をデジタル信号に変換し現在地を演算する測位演算機能（図示せず）を有するものである。
【００２３】
従って、このような構造にすると、ＧＰＳ受信機部３を使用しない場合には、ＧＰＳ受信機部３のみ取り外すことが可能となり、ＳＤＩＯ−ＧＰＳ受信機１を携帯する場合など、ＧＰＳ受信機部３に不測の応力が加わった場合はＳＤカード部２が破損することを防止できる。
【００２４】
なお、ＳＤＩＯ−ＧＰＳ受信機１は、ＧＰＳ受信機部３をＳＤＩＯカード部２に取り付けると、ＧＰＳ受信機部３が演算した位置情報をＳＤＩＯカード部２に送ることができるものである。
【００２５】
（第２の実施形態）
第２の実施形態のＳＤＩＯ−ＧＰＳ受信機１を図２に基づいて説明する。このものは、第１の実施形態にＳＤＩＯカード部２とＧＰＳ受信機部３を有線接続できるもの、例えば、電気的に接続するケーブル線６を加えたものであり、これ以外の構成要素は同じなので説明は省略する。
【００２６】
ケーブル線６は、ＧＰＳ受信機部３が演算した位置情報をＳＤＩＯカード部２に送るものである。
【００２７】
ＳＤＩＯ−ＧＰＳ受信機２とＧＰＳ受信機部３とは、ケーブル線６を介して、ＧＰＳ受信機部３と脱着することができる。ケーブル線６を介してＳＤＩＯカード部２とＧＰＳ受信機部３とを接続すると、情報機器端末（図示せず）とＧＰＳ受信機部３とは、ケーブル線５の距離だけ離して使用することができる。
【００２８】
従って、情報機器端末のノイズによって、ＧＰＳ受信機部２の性能劣化を防止できることができる。
【００２９】
（第３の実施形態）
第３の実施形態のＳＤＩＯ−ＧＰＳ受信機１を図３に基づいて説明。このものは、第１の実施形態のＳＤＩＯカード部２と、ＧＰＳ受信機部３と、に新たな機能を加えたもので、これ以外の構成は同じなので、説明は省略する。
【００３０】
ＳＤＩＯカード部２は、ＳＤカード基板７と、ＳＤカード基板７の表裏両面に接続端子を有する接合部８と、を備えている。また、ＧＰＳ受信機部３は、ＧＰＳ基板９と、ＧＰＳ基板９上に実装された接点を有する接合部品１０と、を備えている。
【００３１】
接合部品１０は、ＧＰＳ受信機部３の表面の内のいずれか一面の略中央部分の位置にくるように、ＳＤＩＯカード部２と接合するためにもうけられたものである。
【００３２】
また、接合部８と、接合部品１０と、が接続することにより、ＳＤＩＯカード部２とＧＰＳ受信機部３が演算した位置情報をＳＤＩＯカード部２に送ることができる。
【００３３】
このような構造にすると、ＳＤＩＯカード部２とＧＰＳ受信機部３とを取り付ける場合は、ＳＤカード基板７の接合部８の表側又は裏側のどちらか一方とＧＰＳ基板９上に実装された接点を有する接合部品１０とを接続することができる。すなわち、ＧＰＳ受信機部３のＧＰＳアンテナ４
従って、ＳＤＩＯカード部２とＧＰＳ受信機部３は、１８０度異なる２方向で接続することができるので、情報機器端末のＳＤカードスロットの方向がどちらであっても、使用時にはアンテナ部を常に天空方向に向けることが可能になる。
【００３４】
（第４の実施形態）
第４の実施形態のＳＤＩＯ−ＧＰＳ受信機１を、図４に基づいて説明する。このものは、第１の実施形態のＳＤＩＯカード部２と、ＧＰＳ受信機部３と、に新たな機能を加えたもので、これ以外の構成は同じなので、説明は省略する。
【００３５】
ＳＤＩＯカード部２は、ＳＤカード基板７と、ＳＤカード基板７の表側又は裏側のいずれか一方に配置された接続端子１１と、接続端子１１とは反対側のＳＤカード基板７に配置された接続端子１２と、を備えている。
【００３６】
接続端子１１とは、図４に示すように、破線の下側に４個の接続端子が設けられており、また、接続端子１２は、図４に示すように、破線の下側に４個の接続端子が設けられている。また、ＳＤカード基板７の表側と裏側を反転させた場合は、接続端子１１、接続端子１２それぞれの端子が電気的に導通状態になっている。
【００３７】
ＧＰＳ受信機部３は、ＧＰＳ基板９と、ＧＰＳ基板９上に実装された接合部品９と、ＧＰＳ受信機部２に実装された接合部品１３と、を備えている。
【００３８】
接合部品１３は、  接合部品１０は、ＧＰＳ受信機部３の表面の内のいずれか一面の略全体になるように、ＳＤＩＯカード部２と接合するためにもうけられたものである。
【００３９】
また、ＳＤＩＯカード部２とＧＰＳ受信機部３の接続に必要な信号線は中心部（図４の破線で示す）より片側のみに配置されている。
【００４０】
このような構造にすると、ＳＤＩＯカード部２とＧＰＳ受信機部３とを取り付ける場合は、ＳＤカード基板７の接続端子１１又は接続端子１２のどちらか一方が接合部品１３と接続することができる。
【００４１】
従って、ＳＤＩＯカード部２とＧＰＳ受信機部３は、１８０度異なる２方向で接続可能となり、また接続面を大きくとることが可能となる。
【００４２】
（第５の実施形態）
第５の実施形態のＳＤＩＯ−ＧＰＳ受信機１を、図５に基づいて説明する。このものは、第１の実施形態に新たな機能を加えたもので、これ以外の構成は同じなので、説明は省略する。
【００４３】
ＳＤＩＯカード部２は、ＳＤカード基板７と、ＳＤカード基板７の表側又は裏側のいずれか一方に配置された接続端子１１と、接続端子１１とは反対側のＳＤカード基板７に配置された接続端子１２と、を備えている。
【００４４】
ＧＰＳ受信機部３は、ＧＰＳ基板９と、ＧＰＳ基板９上に実装された接合部品９と、ＧＰＳ受信機部２に実装された接合部品１３と、を備えている。
【００４５】
接合部品１４はＧＰＳ受信機部３に設けられたＳＤＩＯカード部２に接続するためのものである。また、開口部１５は、ＧＰＳ受信機部３に設けられたＳＤＩＯカード部２と脱着するためのものである。
【００４６】
ＧＰＳ受信機部３は、ＳＤＩＯカード部２との接合部を２カ所用意し、各々異なる方向に接続可能となっている。
【００４７】
従って、このような構造にすると、ＳＤＩＯカード部２とＧＰＳ受信機部３は、１８０度異なる２方向で接続可能となり、また、ＳＤＩＯカード部２とＧＰＳ受信機部３とを接続した場合の隙間をなくすることができる。ＧＰＳ受信機部３の機密性を高めることができるので、塵・埃等の異物混入を防止できることが挙げられる。
【００４８】
（第６の実施形態）
第６の実施形態のＳＤＩＯ−ＧＰＳ受信機１を、図６に基づいて説明する。このものは、ＳＤＩＯカード部２と、ＧＰＳ受信機部３と、ＧＰＳアンテナ５と、ＳＤＩＯカード部１とＧＰＳ受信機部２を回転可能にする接続軸部１６を備えている。
【００４９】
ＳＤＩＯカード部２は、情報機器端末の通信をＳＤＩＯで実現するためのものである。また、ＧＰＳ受信機部３は、受信したアナログ信号をデジタル信号に変換し現在地を演算する測位演算機能（図示せず）を有するものである。また、接続軸部１６は、この軸を中心にしてＧＰＳ受信機部３を回転させるものである（図６の矢印の示す方向）。
【００５０】
このような構造にすると、接続軸部１６を中心してＧＰＳ受信機部３が回転することができるので、ＳＤＩＯカード部２とＧＰＳ受信機部３は、１８０度異なる２方向で接続可能となり、またＳＤＩＯカード部２とＧＰＳ受信機部３は固定される。
【００５１】
従って、ＳＤＩＯカード部２とＧＰＳ受信機部３は、１８０度異なる２方向で接続することができるので、情報機器端末のＳＤカードスロットの方向（ＳＤＩＯカード２を挿入する）がどちらであっても、使用時にはアンテナ部を常に天空方向に向けることができる。
【００５２】
さらに、ＳＤＩＯ−ＧＰＳ受信機１を使用時に落下して、ＧＰＳ受信機部３に応力を受けても、ＧＰＳ受信機部２が回転するので破損することを防止できる場合がある。
【００５３】
なお、ＳＤＩＯ−ＧＰＳ受信機１は、ＧＰＳ受信機部３をＳＤＩＯカード部２に取り付けると、ＧＰＳ受信機部３が演算した位置情報をＳＤＩＯカード部２に送ることができるものである。
【００５４】
（第７の実施形態）
第７の実施形態のＳＤＩＯ−ＧＰＳ受信機１を、図７に基づいて説明する。このものは、第６の実施形態のＳＤＩＯカード部２と、ＧＰＳ受信機部３とに新たな機能を加えたもので、これ以外の構成は同じなので、説明は省略する。
【００５５】
金属面接合部１７は、ＳＤＩＯカード部２に設けられた金属面の接合部である。また、金属球接合部１８は、ＧＰＳ受信機部３に設けられた金属球の接合部である。
【００５６】
金属面接合部１７と金属球接合部１８は、ある一定の応力が加わった場合のみはずれるようになっており、接続軸部１６を軸に回転可能となる（図７の矢印の示す方向）。
【００５７】
従って、このような構造にすると、情報機器端末のＳＤカードスロットの方向がどちらであっても、使用時にはアンテナ部を天空方向に向けることができる。
【００５８】
さらに、ＳＤＩＯカード部２の情報端末機器との接続部を下部とした場合、ＧＰＳ受信機部３の左右方向部に応力が加わった場合でも、回転することにより応力を逃がし、ＳＤＩＯカード部２を破損しない場合がる。
【００５９】
（第８の実施形態）
第８の実施形態のＳＤＩＯ−ＧＰＳ受信機１を、図８に基づいて説明する。ＳＤＩＯカード部２と、ＧＰＳアンテナ５を有するＧＰＳ受信機部３と、回転軸部１６と、を備えている。
【００６０】
ＳＤＩＯカード部に設けられた金属面接合部１８は、ＳＤＩＯカード部２に設けられた金属面の接合部である。
【００６１】
金属面接合部１９は、ＧＰＳ受信機部３に設けられた金属球の接合部である。また、裏金属球接合部２１は、表金属球接合部２０とは異なる面に配置された裏金属球の接合部である。
【００６２】
回転軸部２１は、ＧＰＳ受信機部３を回転させるためのものである。
金属面接合部１９と表金属球接合部２０、裏金属球接合部２１は、ある一定の応力が加わった場合のみはずれ、ＧＰＳ受信機部３は、回転軸部２２を軸に回転可能となる（図７の矢印の示す方向）。
【００６３】
従って、情報機器端末のＳＤカードスロットの方向がどちらであっても、使用時にはアンテナ部を天空方向に向けることが挙げられる。また、ＳＤＩＯカード部２と情報端末機器との接続部を下部とした場合、ＧＰＳ受信機部３の上下方向部に応力が加わった場合でも、回転することにより応力を逃がし、ＳＤＩＯカード部２は破損しない場合がある。
【００６４】
【発明の効果】
請求項１の発明にあっては、ＳＤＩＯ―ＧＰＳ受信機は、ＧＰＳ受信機部とＳＤＩＯカードとが脱着することができるので、携帯する場合など、ＧＰＳ受信機部をＳＤＩＯカードから取り外した状態で芸対すれば、ＧＰＳ受信機部に不測の応力が加わることがなくなり、ＳＤＩＯ―ＧＰＳ受信機の破損を防止できる。
【００６５】
請求項２の発明にあっては、請求項１の効果に加え、ＳＤＩＯカード部とＧＰＳ受信機部とを有線接続すると有線距離だけ離して使用することがき、情報機器端末のノイズによって、ＧＰＳ受信機部の性能劣化を防止できることができる。
【００６６】
請求項３の発明にあっては、請求項１の効果に加え、ＳＤＩＯカード部にＧＰＳ受信機部の接合部との接続に必要な接点を表裏２通りあるＳＤカード基板を設けることにより、ＳＤＩＯカード部とＧＰＳ受信機部は、１８０度異なる２方向で接続することができる。
【００６７】
請求項４の発明にあっては、請求項１の効果に加え、ＳＤＩＯカード部にＧＰＳ受信機部の接合部との接続に必要な接点を表裏２通りあるＳＤカード基板を設け、ＧＰＳ受信機部の接合部にＧＰＳ受信機部の表面の内のいずれか一面の略中央部分の位置に接合部を設けることにより、ＳＤＩＯカード部とＧＰＳ受信機部は、１８０度異なる２方向で接続することができる。
【００６８】
請求項５の発明にあっては、請求項１の効果に加え、ＳＤＩＯカード部にＧＰＳ受信機部の接合部との接続に必要な接点を表裏２通りあるＳＤカード基板を設け、ＧＰＳ受信機部の接合部にＧＰＳ受信機部の表面の内のいずれか一面の略全体に接合部を設けることにより、ＳＤＩＯカード部とＧＰＳ受信機部は、１８０度異なる２方向で接続することができる。
【００６９】
請求項６記載から請求項９記載の発明にあっては、ＳＤＩＯ―ＧＰＳ受信機は、携帯する場合など、ＧＰＳ受信機部に不測の応力が加割った場合に容易にＧＰＳ受信機部が回転することができるので、ＳＤＩＯカード部が破損することを防止できる。
【図面の簡単な説明】
【図１】第１の実施形態の概略上面図ある。
【図２】第２の実施形態の概略上面図ある。
【図３】第３の実施形態の接合例である。
【図４】第４の実施形態の接合例である。
【図５】第５の実施形態の概略上面図ある。
【図６】第６実施形態の概略上面図ある。
【図７】第７の実施形態の概略上面図ある。
【図８】第８の実施形態の概略上面図ある。
【図９】従来のＳＤＩＯ−ＧＰＳ受信機の概略上面図でである。
【図１０】従来のＳＤＩＯ−ＧＰＳ受信機の使用例である。
【図１１】特開２０００−２９２５２２号公報に記載の従来例の上面図と断面図である。
【符号の説明】
１      ＳＤＩＯ−ＧＰＳ受信機
２      ＳＤＩＯカード部
３      ＧＰＳ受信機部
７      ＳＤカード基板
８      接合部
１６    接続軸部
１８    金属面接合部
１９    金属面接合部
２０    裏金属球接合部
【図１】
2004354287.tif 000003
【図２】
2004354287.tif 000004
【図３】
2004354287.tif 000005
【図４】
2004354287.tif 000006
【図５】
2004354287.tif 000007
【図６】
2004354287.tif 000008
【図７】
2004354287.tif 000009
【図８】
2004354287.tif 000010
【図９】
2004354287.tif 000011
【図１０】
2004354287.tif 000012
【図１１】
2004354287.tif 000013